(57)【要約】      （修正有）【課題】被検者によるセルフ式の自覚検査が可能となる検眼装置、方法およびプログラムを提供する。【解決手段】視標提示装置の表示画面には、視標チャート３ａ−１と、光学特性データ表示領域３ａ−２と、ガイド表示領域３ａ−３とが重畳して表示される。ガイド表示領域３ａ−３は、光学特性データ表示領域３ａ−２に表示されている光学特性データのパラメータの更新操作を案内するガイドを表示する領域であり、被検者自らの自覚検査作業の便宜のために設けられている領域である。【選択図】図５
2019062978.tif 000002
【特許請求の範囲】
【請求項１】
被検眼に呈示する視標を表示する表示部を有する視標呈示装置と、前記被検眼の視機能を矯正するための光学素子を前記被検眼と前記視標呈示装置との間に選択的に配置可能な光学素子配置装置と、前記光学素子の光学特性データの変更指示の手動操作入力を受け付ける入力部と、前記視標呈示装置及び前記光学素子配置装置のそれぞれの作動を制御する制御部とを備え、
前記制御部は、前記視標とともに前記光学素子の光学特性データの変更指示の仕方を案内するグラフィックを表示させるよう前記視標呈示装置を制御するとともに、前記入力部が受け付けた前記光学素子の光学特性データの変更指示に基づいて前記光学特性データに対応する光学素子を配置する制御を実行する検眼装置。
【請求項２】
前記制御部は、前記入力部が受け付けた前記光学素子の光学特性データの変更指示に基づいて前記光学素子の光学特性データを更新して表示させるよう前記視標呈示装置を制御する請求項１に記載の検眼装置。
【請求項３】
音声出力部をさらに備え、
前記入力部は、前記光学素子の光学特性データの変更指示の仕方を案内する案内音声を前記音声出力部から出力するか否かの選択を受け付け、
前記制御部は、前記入力部が前記案内音声を出力する選択を受け付けたことに応じ、前記音声出力部から前記案内音声を出力する制御を実行する請求項１または２に記載の検眼装置。
【請求項４】
被検眼に呈示する視標を表示する表示部を有する視標呈示装置と、前記被検眼の視機能を矯正するための光学素子を前記被検眼と前記視標呈示装置との間に選択的に配置可能な光学素子配置装置と、前記光学素子の光学特性データの変更指示の手動操作入力を受け付ける入力部と、前記視標呈示装置及び前記光学素子配置装置のそれぞれの作動を制御する制御部とを備えた検眼装置において、
前記制御部は、前記視標とともに前記光学素子の光学特性データの変更指示の仕方を案内するグラフィックを表示させるよう前記視標呈示装置を制御するとともに、前記入力部が受け付けた前記光学素子の光学特性データの変更指示に基づいて前記光学特性データに対応する光学素子を配置する制御を実行する検眼方法。
【請求項５】
請求項４に記載の検眼方法を検眼装置に実行させるための検眼プログラム。
【発明の詳細な説明】
【技術分野】
【０００１】
本発明は、被検眼の検査に用いられる検眼装置、方法およびプログラムに関する。
【背景技術】
【０００２】
従来、被検眼の眼屈折力等の眼機能は、自覚検査又は他覚検査により測定、或いは両検査を併用して測定される。一例として、特許文献１に記載される自覚検査は、ランドルト環等の各種視標に対する被検者の応答に基づき眼屈折力を測定するものである。このため、自覚検査は測定に時間を要し、また検者の習熟を必要とする。
【先行技術文献】
【特許文献】
【０００３】
【特許文献１】特開2009-045145号公報
【発明の概要】
【発明が解決しようとする課題】
【０００４】
一般に自覚検査では、検者により検眼装置の操作が行われる。しかし、店舗運営コスト削減などの観点から、自覚検査に習熟した専門スタッフを地方の店舗などにくまなく常駐させることが困難となることが想定される。このため、検者を必要とせず、顧客すなわち被検者自らの操作によるセルフ式の自覚検査が行えると、店舗の運営コスト削減、店舗の無人化などが可能になり、非常に有望である。
【０００５】
本発明はこのような事情に鑑みてなされたもので、被検者によるセルフ式の自覚検査が可能となる検眼装置、方法およびプログラムを提供することを目的とする。
【課題を解決するための手段】
【０００６】
本発明の第１の態様の検眼装置は、被検眼に呈示する視標を表示する表示部を有する視標呈示装置と、被検眼の視機能を矯正するための光学素子を被検眼と視標呈示装置との間に選択的に配置可能な光学素子配置装置と、光学素子の光学特性データの変更指示の手動操作入力を受け付ける入力部と、視標呈示装置及び光学素子配置装置のそれぞれの作動を制御する制御部とを備え、制御部は、視標とともに光学素子の光学特性データの変更指示の仕方を案内するグラフィックを表示させるよう視標呈示装置を制御するとともに、入力部が受け付けた光学素子の光学特性データの変更指示に基づいて光学特性データに対応する光学素子を配置する制御を実行する。
【０００７】
本発明の第２の態様の検眼装置において、制御部は、入力部が受け付けた光学素子の光学特性データの変更指示に基づいて光学素子の光学特性データを更新して表示させるよう視標呈示装置を制御する。
【０００８】
本発明の第３の態様の検眼装置は、音声出力部をさらに備え、入力部は、光学素子の光学特性データの変更指示の仕方を案内する案内音声を音声出力部から出力するか否かの選択を受け付け、制御部は、入力部が案内音声を出力する選択を受け付けたことに応じ、音声出力部から案内音声を出力する制御を実行する。
【０００９】
本発明の第４の態様の検眼方法は、被検眼に呈示する視標を表示する表示部を有する視標呈示装置と、被検眼の視機能を矯正するための光学素子を被検眼と視標呈示装置との間に選択的に配置可能な光学素子配置装置と、光学素子の光学特性データの変更指示の手動操作入力を受け付ける入力部と、視標呈示装置及び光学素子配置装置のそれぞれの作動を制御する制御部とを備えた検眼装置において、制御部は、視標とともに光学素子の光学特性データの変更指示の仕方を案内するグラフィックを表示させるよう視標呈示装置を制御するとともに、入力部が受け付けた光学素子の光学特性データの変更指示に基づいて光学特性データに対応する光学素子を配置する制御を実行する。
【００１０】
本発明の第５の態様の検眼プログラムは、上記に記載の検眼方法を検眼装置に実行させるための検眼プログラムである。  
【発明の効果】
【００１１】
本発明によると、視標とともに光学素子の光学特性データの変更指示の仕方を案内するグラフィックを表示させる。このため、被検者が自ら自覚検査を行う場合に、視標とともに当該グラフィックを参照しながら、被検者による検眼装置の操作が可能となる。したがって、被検者によるセルフ式の自覚検査が可能となる。
【図面の簡単な説明】
【００１２】
【図１】図１は自覚式検眼装置１の外観を概略的に示す斜視図である。
【図２】図２はコントローラ装置５を概略的に示す正面図である。
【図３】図３は自覚式検眼装置１の回路構成を概略的に示すブロック図である。
【図４】図４は自覚検査の視標の一覧の表示例を示す説明図である。
【図５】図５は視標提示装置３の表示画面３ａにおいて視標とガイドが重畳表示された例を示す説明図である。
【図６】図６はセルフ式の自覚検査の処理の流れを示すフローチャートである。
【図７】図７はガイドの例を示す説明図である。
【図８】図８はガイドの例を示す説明図である。
【図９】図９はガイドの例を示す説明図である。
【発明を実施するための形態】
【００１３】
本発明に係る自覚式検眼装置１は、図１に示すように、被検者２の被検眼に提示する各種の視機能検査用の視標チャート３ａ−１を表示する視標提示装置３と、被検眼の視機能を矯正するための矯正装置（検眼器、フォロプタ装置）４とコントローラ装置５とを備える。
【００１４】
この自覚式検眼装置１は、従来からよく知られているように、図示を略す眼鏡を作成する際にこの眼鏡のレンズの屈折度数を定めるために用いられている。
【００１５】
各種の視標チャート３ａ−１は、その視標提示装置３の表示画面３ａに表示される。その視標チャート３ａ−１は、コントローラ装置５の操作本体部６を操作することにより決定される。図示の視標チャート３ａ−１では、従来よく知られた文字「Ｃ」からなるランドルト環が表示されている。しかし、視標チャート３ａ−１はこれに限られず、乱視検査用の視標、クロスシリンダー検査用の視標、バランス検査用の指標、斜位検査用の指標（偏光十字、クロスリング、マドックス）、垂直または水平斜位測定（プリズム分離）用の指標、固視ずれテスト（固視点付き偏光十字）用の指標、Ｒ／Ｇ検査用の指標、スマートクロス検査用の指標などが表示されうる。
【００１６】
被検者２と視標提示装置３との間には、検眼テーブル７が配置されている。検眼テーブル７には、この検眼テーブル７からその上方へ伸びる支柱８が設けられている。支柱８の上部には横方向に伸びるアーム９が設けられている。矯正装置４はこのアーム９に取り付けられている。
【００１７】
矯正装置４は、左右方向に並べて配置された一対のフォロプタ１０を備える。各フォロプタ１０は、それぞれ検眼窓１１ａが形成されたハウジング１１を備えている。各ハウジング１１の内部には、従来と同様に、環状のレンズディスク（図示を略す）が回転可能に収納されている。
【００１８】
このレンズディスクには、互いに屈折力の異なる複数の光学素子であるレンズが周方向に沿って設けられている。その各レンズは、コントローラ装置５の制御によりレンズディスクの回転により各検眼窓１１ａに選択的にセットされる。
【００１９】
被検者２は、その一対のフォロプタ１０の検眼窓１１ａ、１１ａにセットされた光学素子を通じて視標チャート３ａ−１を視認するものである。
【００２０】
そのコントローラ装置５は、検眼テーブル７に載置されている。このコントローラ装置５は、例えば、図２に拡大して示すように、パーソナルコンピュータが用いられ、このコントローラ装置５は、図３に示すように、既述の操作本体部６とモニタ部１２と演算制御回路部１５と記憶部１６とから概略構成されている。操作本体部６は、例えば、操作盤６ａとマウス６ｂとマイク６ｃとから概略構成される。マウス６ｂの入力は、マイク６ｃ、レバー、ボタンなどの他の入力手段と代替してもよい。特に、被検者２が視標提示装置３の内容を視認できない場合は、マイク６ｃによって各種の入力指示を行うとよい。
【００２１】
さらに、被検者２とは異なる検者がコントローラ装置５を遠隔操作できるよう、コントローラ装置５はネットワークで視標提示装置３と接続されていてもよい。操作本体部６のマウス６ｂは、他のデバイス（ポインティングデバイス、レバー、各種コントローラー等）でも良い。
【００２２】
図３に示すように、この記憶部１６には、操作盤６ａの手動操作、マウス６ｂの手動操作、またはマイク６ｃへの音声指示により入力された、右眼、左眼、または両眼に対応する光学素子の光学特性のパラメータを光学特性データとして記憶させたうえ、表示画面３ａや表示画面１２ａに表示させることが可能である。操作本体部６の操作履歴やそれに伴う光学特性データの変更履歴を記憶部１６に記憶させておき、モニタ部１２やネットワークで接続されたパソコンなどで、これらの履歴に基づく検査状況の再生を行っても良い。こうすれば、検者自身が被検者になって自覚検査を行いつつ、光学特性データの変更指示に対する見え方の変化や光学素子パラメータの変化を把握することができる。また、光学素子の変更履歴を記憶しておくことで検者自身による自覚検査のプレイバックも可能である。したがって、検者に対する自覚検査のトレーニングや学習に有効である。
【００２３】
なお、右眼、左眼、または両眼のうちどれに対応する光学特性のパラメータを変更するかは、スクロールホイールのクリックなどにより切り替えることができる。例えば、デフォルトでは右眼、一回スクロールホイールのクリックで左眼、さらに一回スクロールホイールのクリックで両眼に対応する光学素子のパラメータ変更が可能となる。
【００２４】
演算制御回路部１５は、操作本体部６の操作指令に基づき、矯正装置４を制御する機能と、視標提示装置３とモニタ部１２とを制御する機能とを有する。
【００２５】
そのモニタ部１２の表示画面１２ａには、被検者２自ら（あるいは図示しない検者の操作）によって各種の画像、光学特性データ、操作情報等が表示可能である。
【００２６】
図４に示すように、モニタ部１２の表示画面１２ａの下部には、視標提示装置３の表示画面３ａに提示可能な視標チャート３ａ−１を示す複数の視標チャート画像の一覧を表示する一覧表示領域２０等が設けられている。
【００２７】
主表示領域１７は、検眼窓１１ａ、１１ａにセットされている光学素子としてのレンズの球面度数、乱視度数及び軸角度等の光学特性である屈折力に対応する光学特性データを表示する領域である。
【００２８】
その主表示領域１７には、ここでは、レンズの屈折力のうち球面度数、乱視度数、軸角度及び加入度数の各項目が表示され、被検者２の右眼と左眼とに対応して、現在、検眼窓１１ａ、１１ａにセットされている光学特性データの数値が各項目毎に表示されている。
【００２９】
演算制御回路部１５は、その一覧表示領域２０等がホイール回転などで操作されると、この操作に対応する処理を実行し、この操作に対応する視標チャート３ａ−１が、視標提示装置３の表示画面３ａに表示される。
【００３０】
図５に示すように、視標提示装置３の表示画面３ａには、視標チャート３ａ−１と、光学特性データ表示領域３ａ−２と、ガイド表示領域３ａ−３とが重畳して表示される。
【００３１】
図５では一例として、レッドグリーン検査用の視標チャート３ａ−１に対応した光学特性データのパラメータの更新操作を案内するガイドとして、赤に対応するマウス６ｂの左クリックで加入度数を１単位上げること、および緑に対応するマウス６ｂの右クリックで加入度数を１単位下げることを案内している。
【００３２】
光学特性データ表示領域３ａ−２は、検眼窓１１ａ、１１ａにセットされている光学素子としてのレンズの球面度数、乱視度数及び軸角度等の光学特性である屈折力に対応する光学特性データを表示する領域である。
【００３３】
その光学特性データ表示領域３ａ−２には、ここでは、レンズの屈折力のうち球面度数、乱視度数、軸角度及び加入度数の各項目が表示され、被検者２の右眼と左眼とに対応して、現在、検眼窓１１ａ、１１ａにセットされている光学特性データの数値が各項目毎に表示されている。
【００３４】
演算制御回路部１５は、この光学特性データ表示領域３ａ−２に表示されている光学特性データに対応する光学特性を有する光学素子が検眼窓１１ａ、１１ａにセットされるように矯正装置４を制御するものである。
【００３５】
自覚検査は、その光学特性データ表示領域３ａ−２に表示されている光学特性データに対応する光学特性を有するレンズを用いて行われる。
【００３６】
ガイド表示領域３ａ−３は、光学特性データ表示領域３ａ−２に表示されている光学特性データのパラメータの更新操作を案内するガイドを表示する領域であり、被検者２自らの自覚検査作業の便宜のために設けられている領域である。なお、ガイド表示領域３ａ−３は、被検者自身による自覚検査を実施するための「セルフ自覚検査モード」がコントローラ装置５から選択された場合に限って表示されてもよく、通常の自覚検査を行うための「通常自覚検査モード」がコントローラ装置５から選択された場合は表示しなくてもよい。
【００３７】
演算制御回路部１５は、ガイド表示領域３ａ−３のガイドに沿って被検者２自ら、操作本体部６を介して入力された光学特性データのパラメータ変更指示に従い、光学特性データ表示領域３ａ−２などに表示されている光学特性データを更新する制御を実行する機能も有する。
【００３８】
記憶部１６は、更新前の光学特性データと更新後の光学特性データを記憶可能である。
【００３９】
例えば、被検者２などによってマウス６ｂが右クリック操作されると、演算制御回路部１５は、光学特性データの１つである「球面」度数のパラメータを１単位だけインクリメントする。あるいは、被検者２などによってマウス６ｂが左クリック操作されると、演算制御回路部１５は、光学特性データの１つである「球面」度数のパラメータを１単位だけデクリメントする。
【００４０】
被検者２がガイド表示領域３ａ−３を視認できない場合は、マウス６ｂのスクロールホイールの回転にて、ガイド表示領域３ａ−３の内容を音声にて案内する音声案内モードに切り替わる。演算制御回路部１５は、マウス６ｂのスクロールホイールの回転にて音声案内モードへの変更が指示されると、ガイド表示領域３ａ−３に表示されている内容に相当する音声をスピーカ１８にて出力する。例えば、レッドグリーン検査の場合は、「緑の方がよく見える場合は右クリックを、赤の方がよく見える場合は左クリックをしてください」との音声が出力される。被検者は音声に基づきマウス６ｂの操作を行う。煩雑さを避けるため、音声案内の内容は、ガイド表示領域３ａ−３の操作内容のような最小限度に留めるとよい。
【００４１】
マウス６ｂのスクロールホイールの回転方向と回転量でパラメータを変更してもよい。例えば、上方向の回転量に合わせてパラメータをインクリメントするか、下方向の回転量に合わせてパラメータをデクリメントしてもよい。
【００４２】
ここで、演算制御回路部１５は、変更された光学特性データが被検者２の意図した内容であるか否かを、マイク６ｃへの発声内容によって確認してもよい。例えば、演算制御回路部１５は、マイク６ｃへ「Ｙｅｓ」の音声入力がされたことを認識すると、パラメータ更新を確定し、マイク６ｃへ「Ｎｏ」の音声入力がされたことを認識すると、パラメータ更新をキャンセルする。このように、パラメータ更新内容を被検者２が口頭で返答し、その内容に応じてパラメータ更新を確定することで、被検者２自身のパラメータ更新指示の誤りの発声が大幅に減る。マイク６ｃとマウス６ｂとの間の入力の切り替えは、スクロールホイールで行われてもよい。
【００４３】
ついで、演算制御回路部１５は、更新された光学特性データが光学特性データ表示領域３ａ−２に表示されるように、視標提示装置３を制御する。
【００４４】
また、この演算制御回路部１５は、視標提示装置３に今まで表示されていた光学特性データに対応する光学素子を検眼窓１１ａ、１１ａから退避させると共に、新たに光学特性データ表示領域３ａ−２に表示された光学特性データに対応する光学素子が検眼窓１１ａ、１１ａにセットされるように入れ替え制御を実行する。
【００４５】
以上の処理を要約すると、図６のようになる。図６は、演算制御回路部１５による処理の流れを示す。この処理を演算制御回路部１５（ＣＰＵなどのプロセッサ）で実行させるためのプログラムは、記憶部１６（ＲＯＭ）などの非一時的有形媒体に記録されている。なおこの処理は、被験者の任意の指示により繰り返すことができる。
【００４６】
Ｓ１では、演算制御回路部１５は、モニタ部１２の表示画面１２ａの一覧表示領域２０から、マウス６ｂを介して所望の視標の選択操作を受け付ける。
【００４７】
Ｓ２では、演算制御回路部１５は、マウス６ｂを介して選択された視標チャート３ａ−１を、視標提示装置３の表示画面３ａに表示させる。また演算制御回路部１５は、視標チャート３ａ−１に対応した光学特性データのパラメータの更新操作を案内するガイドを表示する。
【００４８】
Ｓ３では、演算制御回路部１５は、操作本体部６を介して被検者などから入力された光学特性データのパラメータ変更指示に従い、光学特性データ表示領域３ａ−２などに表示されている光学特性データを更新する。また、演算制御回路部１５は、視標提示装置３に今まで表示されていた光学特性データに対応する光学素子を検眼窓１１ａ、１１ａから退避させると共に、新たに光学特性データ表示領域３ａ−２に表示された光学特性データに対応する光学素子が検眼窓１１ａ、１１ａにセットされるように入れ替え制御を実行する。
【００４９】
なお、図７ないし図９は、様々な光学特性データのパラメータの更新の操作を案内するガイドの表示例である。
【００５０】
以上のように、視標提示装置３の表示画面３ａには、視標チャート３ａ−１とともに、光学特性データ表示領域３ａ−２が表示される。被検者２は自ら、表示画面３ａの光学特性データ表示領域３ａ−２に表示されている光学特性データのパラメータの更新操作を案内するガイドを参照し、検眼窓１１ａ、１１ａにセットされる様々な光学特性データのパラメータの更新の操作を行うことができる。このため、被検者２は、検眼窓１１ａ、１１ａを覗きながら、視標チャート３ａ−１から視線をそらすことなく、マウス６ｂを操作して、光学特性データのパラメータの更新操作を行うことができる。これにより、セルフ式の自覚検査が可能となる。
【符号の説明】
【００５１】
１…自覚式検眼装置、３…視標提示装置、６…操作本体部、１５…演算制御回路部、１８…スピーカ
【図１】
2019062978.tif 000003
【図２】
2019062978.tif 000004
【図３】
2019062978.tif 000005
【図４】
2019062978.tif 000006
【図５】
2019062978.tif 000007
【図６】
2019062978.tif 000008
【図７】
2019062978.tif 000009
【図８】
2019062978.tif 000010
【図９】
2019062978.tif 000011